(57)【要約】【課題】  オンライン取引システムでリソース不足となることを減らすことを課題とする。【解決手段】  この課題を解決するために、本発明では、以下の構成を採用する。予め、取引データを取り扱う複数のサーバ装置について、取り扱い可能な取引データの基準取扱量を記憶しておき、複数のサーバ装置それぞれについて、取引データの取扱量を検知し、検知された取扱量と基準取扱量を比較して、検知された取扱量と基準取扱量が所定の関係を満たす場合、当該サーバ装置が使用可能なリソースを変更する。所定の関係としては、例えば、基準取引量以上に取引量がなることや基準取引量の一定割合（８０％）などに特定の時間前に達するなどがある。【選択図】  図１
2006338322.tif 000002
【特許請求の範囲】
【請求項１】
それぞれが所定の取引に関する取引データを取り扱う複数のサーバ装置を用いて、取引
データを処理するオンライン取引システムにおけるリソース割り当て方法において、
予め、前記複数のサーバ装置について、取り扱い可能な取引データの基準取扱量を記憶
しておき、
前記複数のサーバ装置それぞれについて、取引データの取扱量を検知し、
検知された取扱量と前記基準取扱量を比較し、検知された取扱量と前記基準取扱量が所
定の関係を満たす場合、当該サーバ装置が使用可能なリソースを変更することを特徴とす
るリソース割り当て方法。
【発明の詳細な説明】
【技術分野】
【０００１】
本発明は、いわゆるオンライン取引システムにおけるリソースの割り当てを行う技術に
関する。本オンライン取引システムでの取引対象には、証券などの金融商品が含まれる。
【背景技術】
【０００２】
従来、オンラインリソース（ＤＢ容量、ジャーナル）は、オンライン定数設定で、予め
必要な量に加え、余裕分を含んだＤＢやジャーナル容量を割り当てていた。
【０００３】
オンライン定数設定で、余裕分を含んだＤＢやジャーナル容量の割当てを行い、オンラ
イン起動時又はオンライン中に、必要なオンラインリソースを動的に変更するケースにお
いては、リソース使用状況を監視し、必要なリソースのフォーマットライトなど準備を行
い、該当オンラインに対して追加割当てなどの操作を行う必要があり、非常に複雑な運用
となり時間も要する。このため、オンライン定数設定で、余裕分を含んだＤＢやジャーナ
ル容量を予め割り当てる方式が一般的であった。
【０００４】
これでは、多くのオンラインで構成するシステムの場合、オンライン単位で余裕分を含
んだリソースを確保するため、システムに対する投資コストが増える一方、特定のオンラ
インのみが取引処理件数が増加し、逆に他のオンラインは、取引件数が極端に少ないケー
スでは、リソースを有効に活用できないばかりでなく、特定のオンラインがリソース不足
で障害となったために、他のオンラインを含めたシステム全体が機能しない自体に発展す
るケースとなる。この場合の対応策として、リソース不足となったオンラインに対して、
ディスク増強を実施したり、他のオンラインを含めたオンラインリソースの再割当てを行
ったりする必要があった。このため、特許文献１など下記に示すような解決手法がとられ
ていた。
【０００５】
一般に、取引システムを分散システム上で構築する場合、取引対象である銘柄や、参加
者端末などをいくつかのグループに分割し、分散システムを構成する各々のオンラインに
銘柄や端末グループを割り当てる。
【０００６】
従来は、各々のサーバ単位にオンラインが稼動し、オンライン毎に余裕分を含めたオン
ラインリソース（ＤＢ、ジャーナル）の割当てを行っていた。ここで、特定の銘柄に対し
て注文が集中した場合、他のオンラインにリソース（ＤＢ容量、ジャーナル容量）に余裕
があっても、負荷が集中したオンラインでＤＢ容量や、ジャーナル容量が不足すると、オ
ンライン処理が続行できなくなるため、オンライン異常終了となり、取引処理が停止する
。取引機会均等に基づくと、一部のオンラインが停止することにより、他のオンラインで
分散して行っている取引処理全体を停止することにも至る。オンライン異常終了後、他の
オンラインのＤＢやジャーナルの余裕分や、空きディスクなどより、追加割当てするＤＢ
やジャーナルファイルを作成し、オンライン定数設定にて、ＤＢ容量やジャーナルを追加
し、異常終了したオンラインを再起動する。分散システムにより実施している全てのオン
ラインが再起動完了後、市場における取引業務が再開となる。
【０００７】
【特許文献１】特開平７−１２１４１１号公報
【発明の開示】
【発明が解決しようとする課題】
【０００８】
しかし、証券・商品・サービス等の売買を行う取引システムでは、事前の予測が困難な
注文集中銘柄が発生したり、急激に１日当りの総処理件数が増加したりする。つまり、上
述した特許文献１では、日々、取引件数の偏りが大きい通常の取引においては、システム
のリソース割当てが非常に難しいとの課題がある。このため、集中システムで実現してい
るが、分散システムでの実現は難しい。分散システム（複数オンライン）において、リソ
ースを不足させず、取引所サービスをできるだけ制限しないように売買取引を継続するこ
とを本発明では、課題とする。
【課題を解決するための手段】
【０００９】
証券取引所などにおいて、前日の取引量や、今後の取引量増加の予測をもとに、適切な
リソース割当てを実施しているが、正確な取引状況を想定すること経済状況などからは難
しい。そこで、オンラインリソース（ＤＢ容量、オンラインジャーナル容量）を最低限確
保し、万が一リソース不足が発生した場合、複数のシステム間で使用する共用の予備リソ
ースの中から、一定量のリソースを動的割り当てることにより、予想しえないリソース不
足の事態によるシステムダウンを防止する。この課題を解決するために、本発明では、以
下の構成を採用する。予め、取引データを取り扱う複数のサーバ装置について、取り扱い
可能な取引データの基準取扱量を記憶しておき、複数のサーバ装置それぞれについて、取
引データの取扱量を検知し、検知された取扱量と基準取扱量を比較して、検知された取扱
量と基準取扱量が所定の関係を満たす場合、当該サーバ装置が使用可能なリソースを変更
する。所定の関係としては、例えば、基準取引量以上に取引量がなることや基準取引量の
一定割合（８０％）などに特定の時間前に達するなどがある。
【００１０】
リソースの割当て（変更）には、オンライン開始時に実施する初期割当てと、オンライ
ン中にリソースを割り当てる動的割当ての２パターンが含まれる。
【００１１】
上記システムにおいて、複数のオンラインで使用可能な全体予備オンラインリソース群
（ＤＢ，オンラインジャーナル）を管理し、リソースが必要となったオンラインに対し随
時、全体予備オンラインリソース群の中から必要なオンラインリソース量を割り当てる、
オンラインシステム。
【００１２】
上記システムにおいて、オンライン単位にリソース（ＤＢ容量、ジャーナル）使用状況
の監視条件に従い、任意の銘柄の取引が活発になり、ＤＢ使用容量が急激に増加し閾値を
超えた場合、全体予備オンラインリソース群から必要なリソース容量を該当オンラインに
割り当てることで、オンライン取引停止を防ぎ、取引機会およびサービスの向上を可能と
したことを特徴とするオンライン取引システム。
【発明の効果】
【００１３】
以上の構成により、本発明では、急激な件数増加時のリソース不足に対して、オンライ
ンの停止を極力減らすことが可能になる。また、ディスクなど記憶装置の最適化やＤＢ容
量管理が容易に可能になるとの効果を有する。
【発明を実施するための最良の形態】
【００１４】
図１は本発明の実施の形態の構成図であり、１０１〜１０３は取引参加者装置、２０１
〜２０３は売買業務実施装置、２０４は共用リソース装置、２０５はリソース管理装置で
ある。
【００１５】
取引参加者装置１０１〜１０３は、各売買業務に参加するために取引参加者が利用する
装置であり、この装置から各市場、各商品の注文を２０１〜２０３の売買業務実施装置に
依頼する。
【００１６】
売買業務実施装置２０１〜２０３は各市場、商品毎に注文と取引結果を管理し、取引結
果を取引参加者装置へ送信する。上記取引関連情報は201-a〜203-a及び201-b〜203-bにて
格納、管理する。
【００１７】
リソース管理装置２０４は業務稼動前後に上記売買取引装置２０１〜２０３内のデータ
ベース201-a〜203aを確認し、図の流れに従って、使用容量の確認と確認した使用容量か
ら追加割当リソースの算出と追加割当リソース算出結果から追加割当容量ファイルの自動
生成とオンライン起動時のリソース割当の処理を行う。
【００１８】
また上記リソース管理装置２０４は業務稼動中に上記売買取引装置２〜４内のデータベ
ース201-a〜203-aのデータベース容量追加実行の処理を行う。
【００１９】
また上記リソース管理装置２０４は業務稼動中に上記売買取引装置２０１〜２０３内の
ジャーナル201-b〜203-bのジャーナルリソース量追加実行の処理を行う。
【００２０】
図２はリソース割当に必要なデータファイルの概要図である。装置２０１〜２０３と装
置２０４はそれぞれリソース追加割当に必要なデータファイル201-c〜203-cと204-cを持
つ。データファイル201-c〜203-cには割当対象DBと管理区画番号と初期割当数と動的割当
閾値と動的割当労息区画数を各DB毎に設定しているDB予備リソース割当ファイルと対象オ
ンラインと初期割当数と動的割当閾値と動的割当領域数をオンライン毎に設定しているジ
ャーナル予備リソース割当ファイルがある。
【００２１】
204-cには割当対象となる市場サーバ（オンライン）の情報を設定しているリソース割
当対象サーバ管理ファイルと全体オンラインリソース群管理ファイルとジャーナル予備リ
ソース管理ファイルがある。
【００２２】
図３は業務時間とオンライン起動時初期割当とオンライン中動的追加割当の関係を示す
。オンライン起動時に前日の結果から初期割当を決定し起動する。オンライン中は一定間
隔(n秒)に監視を実施しデータファイル201-c〜203-c内の動的割当閾値を超えたDBやジャ
ーナルに対して、データファイル201-c〜203-c内の動的リソース割当区画数分のリソース
追加割当を実施する。
【００２３】
図４〜図６はオンライン起動時初期割当とオンライン稼動中動的割当の概要である。
【００２４】
オンライン稼動中動的割当は、装置２０１〜２０３が各々のリソース量を定期的に監視
し、閾値を超えた場合に装置２０４へ警告メッセージを送り、各々の定義201-c〜203-c１
に定義されている内容に応じ、リソースの割り当てを要求する。要求を受けた装置０４は
要求元の装置２０１〜２０３に対してリソースの割当処理をする。
【００２５】
図７にオンライン起動時のデータベースリソース初期割り当て処理フローチャートを示
す。
【００２６】
７０１：オンライン起動時のリソース割当処理を開始する。
【００２７】
７０２：オンライン終了後、装置２０１〜２０３上にて当日のオンライン処理時の取引
件数を市場、ＤＢ201-a〜203-a毎に集計し、ＤＢ予備リソース割当ファイル201-c2〜203-
c2内の初期割当て数(算出値)201-c2b2〜203-c2b2に出力する。
【００２８】
次回オンラインの取引予測や、イベントなど過去の統計とは大きくことなることが想定
される場合、ＤＢ予備リソース割当ファイル201-c2〜203-c2内の初期割当て数(指定値)20
1-c2b3〜203-c2b3に指定値を設定する。
【００２９】
７０３：オンライン起動時、全データベースリソースの割当て容量及び再割当てを行う
。全データベースの割当て容量及び再割当て処理が完了した場合は、７１１の処理終了と
なる。データベースの割当て容量及び再割当て未完了の場合は、７０４の処理を行う。
【００３０】
７０４：装置２０１〜２０３にて現状割り当てられている予備リソース数201-c2b1〜20
3-c2b1と、(2)にて集計した結果である初期割当て数(算出値)201-c2b2〜203-c2b2を比較
する。初期割当て数(算出値)201-c2b2〜203-c2b2が少ない場合は(6)の処理を実施する。
初期割当て数(算出値)201-c2b2〜203-c2b2が多い場合は(5)の処理を実施する。
【００３１】
７０５：ＤＢ予備リソース割当ファイル201-c2〜203-c2内の初期割当て数(算出値)201-
c2b2〜203-c2b2に従い、必要量を初期割当てとして予備リソース領域を追加割当てする。
【００３２】
７０６：装置２０１〜２０３の初期割当て数(算出値)201-c2b2〜203-c2b2とディフォル
ト割当て数201-c1b〜203-c1bを比較し、初期割当て数(算出値)201-c2b2〜203-c2b2の方が
少ない場合は、(8)の処理を実施する。初期割当て数(算出値)201-c2b2〜203-c2b2の方が
多い場合は(7)の処理を実施する。
【００３３】
７０７：初期割当て数(算出値)201-c2b2〜203-c2b2と、現状割当て数201-c2b1〜203-c2
b1との差分の予備リソース領域を解放する。
【００３４】
７０８：ディフォルト割当て数201-c1b〜203-c1bを下限とし、現状割当て数201-c2b1〜
203-c2b1との差分の予備リソース領域を解放する。
【００３５】
７０９：ＤＢ予備リソース割当ファイル201-c2〜203-c2内の初期割当て数(算出値)201-
c2b2〜203-c2b2とＤＢ予備リソース割当ファイル201-c2〜203-c2内の初期割当て数(指定
値)201-c2b3〜203-c2b3を比較する。
【００３６】
初期割当て数(指定値)201-c2b3〜203-c2b3を未設定又は初期割当て数(算出値)201-c2b2
〜203-c2b2より少ない場合は、(3)の処理へ戻り、次のデータベースリソース処理割当て
容量確認／再割当てを行う。初期割当て数(指定値)201-c2b3〜203-c2b3の方が大きい場合
は、(10)の処理を実施する。
【００３７】
７１０：初期割当て数(算出値)201-c2b2〜203-c2b2と初期割当て数(指定値)201-c2b3〜
203-c2b3の差分の予備リソース領域を追加割当てする。
【００３８】
７１１：終了
図８にオンライン動的追加割当（DB）フローチャートを示す。
【００３９】
８０１：オンライン時のリソース割当処理を開始する。
【００４０】
８０２：オンライン中に装置２０１〜２０３が定期的に各々が担当する市場の取引量を
監視する。
【００４１】
８０３：８０２の監視にて取引量が閾値を超えて行われているか201-a〜203-aを確認す
る。
【００４２】
８０４：８０３の比較において上限の閾値と比べ取引量が多いかどうかを判定する。多
いい場合は８０５へ、閾値より少なければ８０７へ。
【００４３】
８０５：どの市場の取引量の閾値が超えたか警告メッセージを出力する。
【００４４】
８０６：装置２０１〜２０３が出力した警告を受けどの市場に閾値越えが発生したかを
判定する。
【００４５】
８０７：８０６にて割り当て対象となった市場に対し、DBリソース割当量をデータファ
イル201-c〜203-cの設定値に従い、追加割当を実施する。
【００４６】
８０８：終了
図９にオンライン動的追加割当（ジャーナル）フローチャートを示す。
【００４７】
９０１：オンライン時のリソース割当処理を開始する。
【００４８】
９０２：オンライン中に装置２０１〜２０３が定期的に各々が担当する市場の取引量を
監視する。
【００４９】
９０３：９０２の監視にて取引量が閾値を超えて行われているか201-b〜203-bを確認す
る
９０４：９０３の比較において上限の閾値と比べ取引量が多いかどうかを判定する。多
いい場合は９０５へ、閾値より少なければ９０７へ。
【００５０】
９０５：どの市場の取引量の閾値が超えたか警告メッセージを出力する。
【００５１】
９０６：装置２０１〜２０３が出力した警告を受けどの市場に閾値越えが発生したかを
判定する。
【００５２】
９０７：９０６にて割り当て対象となった市場に対し、ジャーナルリソース割当量をデ
ータファイル201-c〜203-cの設定値に従い、追加割当を実施する。
【００５３】
９０８：終了
【実施例１】
【００５４】
オンライン起動時のデータベースリソース初期割り当て例をもとに図７のフローチャー
トに従って説明する。
【００５５】
図１０  例１  予備リソース追加割当て例：市場１（銘柄ａ）サーバ
７０１：オンライン起動時のリソース割当処理を開始する。
【００５６】
７０２：オンライン終了後、装置２０１上にて当日のオンライン処理時の取引件数を市
場、ＤＢ201-a毎に集計し、ＤＢ予備リソース割当ファイル201-c2内の初期割当て数(算出
値)201-c2b2に出力する。
【００５７】
例１では、銘柄a1が4000件、銘柄a2が3000件で、計7000件となる。
【００５８】
次回オンラインの取引予測や、イベントなど過去の統計とは大きくことなることが想定
される場合、ＤＢ予備リソース割当ファイル201-c2内の初期割当て数(指定値)201-c2b3に
指定値を設定する。例１では設定しない。
【００５９】
７０３：オンライン起動時、全データベースリソースの割当て容量及び再割当てを行う
。全データベースの割当て容量及び再割当て処理が完了した場合は、７１１の処理終了と
なる。データベースの割当て容量及び再割当て未完了の場合は、７０４の処理を行う。
【００６０】
７０４：装置２０１にて現状割り当てられている予備リソース数201-c2b1と、７０２に
て集計した結果である初期割当て数(算出値)201-c2b2を比較する。初期割当て数(算出値)
201-c2b2が少ない場合は７０６の処理を実施する。初期割当て数(算出値)201-c2b2が多い
場合は７０５の処理を実施する。
【００６１】
例１では、初期割当て数（算出値）201-c2b2が、7000件と現状割当て数201-c2b1の5000
件より多いため、７０５の処理を行う。
【００６２】
７０５：例１では、ＤＢ予備リソース割当ファイル201-c2内の初期割当て数(算出値)20
1-c2b2（7000件）に従い、必要量（2000件）を初期割当てとして追加割当てする。
【００６３】
７０６〜７０８：例１では処理を行わない。
【００６４】
７０９：ＤＢ予備リソース割当ファイル201-c2内の初期割当て数(算出値)201-c2b2（70
00件）とＤＢ予備リソース割当ファイル201-c2内の初期割当て数(指定値)201-c2b3（例１
では設定無し）を比較する。例１では、初期割当て数(指定値)201-c2b3を設定していない
ため、７０３の処理へ戻り、次のデータベースリソース処理割当て容量確認／再割当てを
行う。
【００６５】
７１０：例１では、処理を行わない。
【００６６】
７１１：終了
図１０  例２  予備リソース解放例：市場２（銘柄ｃ）サーバ
７０１：オンライン起動時のリソース割当処理を開始する。
【００６７】
７０２：オンライン終了後、装置２０３上にて当日のオンライン処理時の取引件数を市
場、ＤＢ203-a毎に集計し、ＤＢ予備リソース割当ファイル203-c2内の初期割当て数(算出
値)203-c2b2に出力する。
【００６８】
例２では、銘柄c1が3000件、銘柄c2が1000件で、計4000件となる。
【００６９】
次回オンラインの取引予測や、イベントなど過去の統計とは大きくことなることが想定
される場合、ＤＢ予備リソース割当ファイル203-c2内の初期割当て数(指定値)203-c2b3に
指定値を設定する。例２では設定しない。
【００７０】
７０３：オンライン起動時、全データベースリソースの割当て容量及び再割当てを行う
。全データベースの割当て容量及び再割当て処理が完了した場合は、７１１の処理終了と
なる。データベースの割当て容量及び再割当て未完了の場合は、７０４の処理を行う。
【００７１】
７０４：装置２０３にて現状割り当てられている予備リソース数203-c2b1と、７０２に
て集計した結果である初期割当て数(算出値)203-c2b2を比較する。初期割当て数(算出値)
203-c2b2が少ない場合は７０６の処理を実施する。初期割当て数(算出値)203-c2b2が多い
場合は７０５の処理を実施する。
【００７２】
例２では、初期割当て数（算出値）203-c2b2が、4000件と現状割当て数203-c2b1の5000
件より少ないため、７０６の処理を行う。
【００７３】
７０５：例２では処理を行わない。
【００７４】
７０６：装置２０３の初期割当て数(算出値)203-c2b2とディフォルト割当て数203-c1b
を比較し、初期割当て数(算出値)203-c2b2の方が少ない場合は、７０８の処理を実施する
。初期割当て数(算出値)203-c2b2の方が多い場合は７０７の処理を実施する。
【００７５】
例２では、ＤＢ予備リソース割当ファイル203-c2内の初期割当て数(算出値)203-c2b2（
4000件）と、ディフォルト割当て数203-c1b（5000件）比較し、初期割当て数(算出値)203
-c2b2（4000件）が少ないため、７０７の処理を行う。
【００７６】
７０７：例２では処理を行わない
７０８：ディフォルト割当て数203-c1bを下限とし、現状割当て数203-c2b1との差分を
解放する。
【００７７】
例２では、ディフォルト割当て数203-c1b（5000件）、現状割当て数203-c2b1(10000件
）との差分である、5000件の動的割当て領域を開放し、現状割当て数を5000件に変更する
。
【００７８】
７０９：現状割当て数203-c2b1(5000件)とＤＢ予備リソース割当ファイル203-c2内の初
期割当て数(指定値)203-c2b3（例２では設定無し）を比較する。例２では、初期割当て数
(指定値)201-c2b3を設定していないため、７０３の処理へ戻り、次のデータベースリソー
ス処理割当て容量確認／再割当てを行う。
【００７９】
７１０：例２では、処理を行わない。
【００８０】
７１１：終了
【実施例２】
【００８１】
オンライン時動的リソース割当（DB）
図１１に図８のオンライン時動的リソース割当（DB）の例を示す。
【００８２】
データファイル201-c〜203-c内のDB予備リソース割当ファイル201-c2〜203-c2に記載さ
れている全てのDBの動的割当閾値が最大容量の75％と動的割当領域区画数が最大容量と同
値（10000件)である時にオンライン中に装置２０１が管理している市場１の銘柄A、銘柄B
の件数合計が閾値の7500件を超え、リソース追加割当対象となった場合について記述する
。
【００８３】
８０２で各装置２０１〜２０３がリソース量をデータファイル201-c〜203-c内のDB予備
リソース割当ファイル201-c2〜203-c2リソース監視間隔に設定されている間隔で監視する
。
【００８４】
８０３で２０１〜２０３のリソース量とデータファイル201-c〜203-cの動的割当閾値と
を比較する。
【００８５】
８０４で装置２０１のリソース容量が201-cに記載されている動的割当閾値の7500件を
超えたことが分かる。また装置２０２、２０３は動的割当閾値を超えていないことが分か
り８０８の処理終了となる。
【００８６】
８０５：動的割当閾値越えとなった装置２０１から対象となる市場、DB、閾値を記載し
た警告メッセージが出力される。
【００８７】
８０６にて装置２０４は動的割当閾値越えのメッセージを受け、そのメッセージから対
象の市場サーバ（オンライン）と割当対象のDBを判定する。
【００８８】
８０７：装置２０４のリソース管理機能は装置２０１内のデータファイル201-cの情報
から割当対象となるDBの動的追加割当領域区画数を確認しその区画数分を２０４内のDB  
204-aから装置201-aへ追加割当を実施する。この処理により装置２０１は銘柄A、Bで合計
20,000件まで業務処理を実行することができる。
【００８９】
８０８：動的リソース割当処理を終了する。この後、８０２の監視間隔にて監視を再開
する。
【実施例３】
【００９０】
オンライン時動的リソース割当（ジャーナル）
図１２に図９ののオンライン時動的リソース割当（DB）例を示す。
【００９１】
データファイル201-c〜203-c内に記載されている全てのジャーナルの動的割当閾値が最
大容量の７５％と動的割当領域が最大容量と同値である時にオンライン中に装置２０１が
管理している市場１の銘柄A、銘柄Bのジャーナル量が閾値の７５％を超え８０％となりリ
ソース追加割当対象となった場合について記述する。
【００９２】
９０２で各装置２０１〜２０３がリソース量をn秒間隔で監視する。
【００９３】
９０３で２０１〜２０３のリソース量がデータファイル201-c〜203-c閾値をと比較し、
９０４で装置２０１のリソース容量が201-cに記載されている動的期割当閾値の7500件を
超えたことが分かる。
【００９４】
９０５：動的割当閾値越えとなった装置２０１から対象となる市場、DB、閾値を記載し
た警告メッセージが出力される。
【００９５】
９０６：動的割当閾値越えのメッセージを受けた装置２０４はそのメッセージから対象
の市場サーバ（オンライン）と割当対象のDBを判定する。
【００９６】
９０７：装置２０１内のデータファイル201-cの情報から割当対象となるDBの動的追加
割当領域区画数分の領域を２０４内のDB  204-bから装置201-bへ割当を実施する。
【００９７】
９０８：動的リソース割当処理を終了する。この後、９０２の監視間隔にて監視を再開
する。
【産業上の利用可能性】
【００９８】
２４時間オンラインなど長時間オンラインへの適用
本適用事例は、複数オンラインで分散稼動しているシステムのうち、特定のオンライン
に対して、データの偏りが発生したケースを想定したものであるが、２４時間オンライン
などの長時間オンラインと社内処理システムなど別々なオンラインとの別々な組合せにお
いても、本発明は、適用できる。
【００９９】
グリッドコンピューティング、仮想ストレージ
グリッドコンピューティングや、仮想ストレージなどの適用においても、本発明を適用
することにより、リソースの有効活用が図れると考える。
【図面の簡単な説明】
【０１００】
【図１】本発明の実施の形態のシステム構成概要図である。
【図２】リソース割当データファイル図である。
【図３】オンライン稼動中のデータベース動的追加割当て例である。
【図４】オンライン起動時時のリソース初期割当概略図である。
【図５】オンライン時のDBリソース動的割当概略図である。
【図６】オンライン時のジャーナルリソース動的割当概略図である。
【図７】オンライン起動時のリソース初期割当フローチャートである。
【図８】オンライン時のDBリソース動的割当フローチャートである。
【図９】オンライン時のジャーナルリソース動的割当フローチャートである。
【図１０】オンライン起動時のリソース初期割当実施例である。
【図１１】オンライン時のDBリソース動的割当実施例である。
【図１２】オンライン時のジャーナルリソース動的割当実施例である。
【符号の説明】
【０１０１】
101〜103…取引参加者参加者用装置、201１〜203…売買業務実施装置、201-a〜203-a…
売買業務実施装置DB、201-b〜203-b…売買業務実施装置ジャーナル、201-c〜203-c…売買
業務実施装置データファイル群、201-c1〜203-c1…売買業務実施装置DBリソース割当ファ
イル、201-c2〜203-c2…売買業務実施装置DB予備リソース割当ファイル、201-c3〜203-c3
…売買業務実施装置ジャーナル予備リソース割当ファイル、201-c2a〜203-c2a…DBリソー
ス監視間隔、201-c2b〜203-c2b…割当対象DB、201-c2b1〜203-c2b1…DBリソースの現状割
当数、201-c2b2〜203-c2b2…DBリソースの管理区画番号、201-c2b3〜203-c2b3…DBリソー
スの初期割当数（算出値）、201-c2b4〜203-c2b4…DBリソースの初期割当数（指定値）、
201-c2b5〜203-c2b5…DBリソースの動的割当閾値、201-c2b6〜203-c2b6…DBリソースの動
的割当領域区画数、201-c3a〜203-c3a…ジャーナルリソース監視間隔、201-c3b〜203-c3b
…割当対象オンライン、201-c3b1〜203-c3b1…ジャーナルリソースの初期割当数、201-c3
b2〜203-c3b2…ジャーナルリソースの動的割当閾値、201-c3b3〜203-c3b3…ジャーナルリ
ソースの動的割当領域数、２０４…リソース管理装置、204-a…リソース管理装置DB、204
-b…リソース管理装置ジャーナル、204-c…リソース管理装置内のデータファイル群、204
-c1…リソース管理装置データファイル群、204-c2…リソース割当対象サーバ管理ファイ
ル、204-c2a…DB予備リソース管理ファイル、204-c2b…ジャーナル予備リソース管理ファ
イル。
【図１】
2006338322.tif 000003
【図２】
2006338322.tif 000004
【図３】
2006338322.tif 000005
【図４】
2006338322.tif 000006
【図５】
2006338322.tif 000007
【図６】
2006338322.tif 000008
【図７】
2006338322.tif 000009
【図８】
2006338322.tif 000010
【図９】
2006338322.tif 000011
【図１０】
2006338322.tif 000012
【図１１】
2006338322.tif 000013
【図１２】
2006338322.tif 000014